(57)【要約】      （修正有）【課題】軽い簡単な柩を提供する。【解決手段】柩はそれぞれ折りたたみ可能な耐力性カード材料から構成された、予め成形された底面、蓋、エンドレス側壁部を有する。この３つの部分は、上記のように、底面と蓋部は安定したトレイ型に、側壁部は単一のカードからエンドレスの形状にブランクから適当に成形され、接着剤で接合される。３部分の形状は形状は同一であるが、平面図形のサイズは異なる。部品の対応する平面図形寸法は、側壁部はその２つの自由端縁部の１つでトレイ型底面部の周囲に延びるフランジ内にぴったりと嵌まり、もう一方の自由端縁部で逆トレイ型蓋部内にぴったりと嵌まる。底面部は、対の対向する開口を有し、各対の開口は個々のストラップを受け入れて、底面部の床部の内側表面を縛り、側壁部と蓋部を取り囲んで、底面部、蓋部、側壁部を安定した柩型の構成に保持する。【選択図】図１
0003110201.tif 000002
【実用新案登録請求の範囲】
【請求項１】
柩の構成に使用するための部品キットであって、
床部、および前記床部の境界で前記床部から立ち上がって折りたたまれたエンドレスに周囲に延びるフランジを有し、前記フランジの部分と前記床部の間の連結部に沿って間隔を置いた位置に複数の横方向に位置合せした対の開口を有する、柩のトレイ型底面部である、耐力性折りたたみ可能層状材料から構成される第１本体と、
屋根部、および前記屋根部の境界で前記屋根部から立ち上がる、エンドレスに周囲に延びるフランジを有する、柩のトレイ型蓋部である、耐力性折りたたみ可能材料から構成される第２本体と、
柩のエンドレス側壁部である、耐力性折りたたみ可能層状材料から構成される単体の第３本体とを有し、
いくつかの前記耐力性層状部分が、それらを柩の構成に組み立てる際に、前記エンドレス側壁部が、その側壁部の１つの縁部が側壁部の周囲に延びている周辺部に沿って前記底面部の前記エンドレス・フランジ内にぴったりと嵌まり合い、側壁部のもう一方の縁部が側壁部の周囲に延びている周辺部に沿って前記蓋部の前記フランジ内にぴったりと嵌まり合うように、構築、構成、かつ適合されているキット。
【請求項２】
前記底面部に、それぞれ対応して配置された前記開口の前記対の１つを介して前記底面部の横方向に延びるように収容され、それぞれ前記側壁部と蓋部を取り囲み、前記底面部、前記蓋部、前記側壁部を柩を形成する安定した構成に保持する手段として働くことができる長さである複数のストラップ部材を有することによってさらに特徴付けられる請求項１に記載のキット。
【請求項３】
前記ストラップ部材が、人の手を受け入れることができるようなサイズのループ状の端部を有することを特徴とする請求項２に記載のキット。
【請求項４】
さらに、前記底面部の床部と実質的に同一の形状およびサイズの耐力性層状材料を有することを特徴とする請求項１、２、または３に記載のキット。
【請求項５】
前記層状材料が、遺体から出る流体に対して実質的に不透過性になるように処理されていることを特徴とする請求項４に記載のキット。
【請求項６】
前記耐力性層状材料のいくつかの部分がそれぞれ生分解性組成物であることを特徴とする請求項１ないし５のいずれかに記載のキット。
【請求項７】
前記底面部の平面図形の寸法は、前記エンドレス側壁部の対応する寸法よりもやや大きく、前記エンドレス側壁部の平面図形の寸法は、前記蓋部の対応する寸法よりもやや大きく、前記平面図形の寸法は、前記蓋部の頂部と底面部の床部がそれぞれ前記エンドレス・フランジの少なくとも１つの間で前記屋根部、または事情に応じて前記床部と接触して、ボックス型エンクロージャを構成するために、互いに平行に間隔を置いて維持される状態で、前記蓋部が少なくとも部分的に前記底面部内に受け入れられることができるような寸法であることを特徴とする請求項１から６のいずれかに記載のキット。
【請求項８】
前記底面部と蓋部が前記ボックス型エンクロージャを形成し、前記エンドレス側壁部が、平坦な形状に折りたたまれて、前記ボックス型エンクロージャ内にあり、前記複数のストラップ部材が、それぞれ対応して配置された前記開口の前記対の１つを介して前記底面部の横方向に延び、全体が組立て部品のフラット・パックを形成することを特徴とする請求項７に記載のキット。
【請求項９】
床部、および前記床部の境界で前記床部から立ち上がる折りたたまれたエンドレスに周囲に延びるフランジを有し、前記床部と前記エンドレス・フランジに配置されたセグメントの間の連結部に沿って間隔を置いた位置にある、複数の横方向に位置合せした対の開口も有する、柩のトレイ型底面部である、耐力性折りたたみ可能層状材料から構成される第１本体と、
屋根部、および前記屋根部の境界で前記屋根部から立ち上がる、エンドレスに周囲に延びるフランジを有する、柩のトレイ型蓋部である、耐力性折りたたみ可能材料から構成される第２本体と、
前記底面部と蓋部の間の、エンドレス側壁部である、耐力性折りたたみ可能材料から構成される第３本体と、
それぞれ対応して配置された前記開口の前記対の１つを介して前記底面部の横方向に延びる複数のストラップ部材とを有することを特徴とし、さらに  前記エンドレス側壁部が、前記側壁部の１つの縁部が前記側壁部の周囲に延びる周辺部に沿って前記底面部の前記周辺フランジ内にぴったりと嵌まり合い、前記側壁部のもう一方の縁部が前記側壁部の周囲に延びる周辺部に沿って前記蓋部の前記周囲フランジ内にぴったりと嵌まり合い、
前記ストラップ部材が、それぞれ側壁部および蓋部を取り囲み、それによって前記底面部、前記蓋部、および前記側壁部を柩を形成する安定した構成に保持する手段として働く長さであることを特徴とする柩。
【請求項１０】
前記ストラップ部材が、柩の取っ手を構成するようなサイズのループ状の端部を有することを特徴とする請求項９に記載の柩。
【請求項１１】
前記柩内に、前記底面部の前記床部を覆う、前記底面部の前記床部と実質的に同一の形状およびサイズの材耐力性層状材料があることを特徴とする請求項８、９、または１０に記載の柩。
【請求項１２】
前記オーバーレイ部材が、遺体から出る流体に対して同じく実質的に不透過性になるように処理されていることを特徴とする請求項１１に記載の柩。
【請求項１３】
前記蓋部、前記側壁部、前記底面部、および前記床部オーバーレイ部材の耐力性層状材料が、それぞれ生分解性組成物であることを特徴とする請求項９から１２のいずれかに記載の柩。
【請求項１４】
個別に、底面部、蓋部、および側壁部に対して折り曲げ可能な各形状およびサイズが請求項１ないし８のいずれかに記載のキットを構成するようになされている、耐力性折りたたみ可能層状材料から構成される１組のブランク。
【考案の詳細な説明】
【技術分野】
【０００１】
本考案は柩に関する。
【考案の開示】
【課題を解決するための手段】
【０００２】
本考案による柩の構成に使用される部品キットは、
床部、および前記床部の境界で前記床部から立ち上がる折りたたまれたエンドレスに周囲に延びるフランジを有し、前記床部と前記エンドレス・フランジに配置されたセグメントとの間の連結部に沿って間隔を置いて配置された、複数の横方向に位置合せされた対の開口を有する、柩のトレイ型底面部である、耐力性折りたたみ可能層状材料から構成される単体の第１の本体と、
屋根部、および前記屋根部の境界で前記屋根部から立ち上がる、エンドレスに周囲に延びるフランジを有する、柩のトレイ型蓋部である、耐力性折りたたみ可能材料から構成される第２本体と、
柩のエンドレス側壁部である、耐力性折りたたみ可能層状材料から構成される第３本体であって、
いくつかの前記耐力性層状部分が、それらを柩の構成に組み立てる際に、前記エンドレス側壁部が、前記側壁部の１つの縁部が周囲に延びる周辺部に沿って前記底面部の前記エンドレス・フランジ内にぴったりと嵌まり合い、側壁部のもう一方の縁部が周囲に延びる周辺部に沿って前記蓋部の前記フランジ内にぴったりと嵌まり合うように、構築、構成、かつ適合されている第３本体とを備える。
【０００３】
さらに、このキットは複数のストラップ部材を備えており、このストラップ部材は、前記底面部に受け取られて、それぞれ対応して配置した対の前記開口の１つを介して前記底面部の横方向に延びるように適合され、それぞれ側壁部および蓋部を取り囲み、それによって前記底面部、前記蓋部、および前記側壁部を柩を形成する安定した構成に保持する手段として集合的に働くことができるような長さである。
【０００４】
本考案によれば、柩はまた、
床部、および前記床部の境界で前記床部から立ち上がる折りたたまれたエンドレスに周囲に延びるフランジを有し、前記床部と前記エンドレス・フランジに配置されたセグメントとの間の連結部に沿って間隔を置いた位置にある、複数の横方向に位置合せした対の開口も有する、柩のトレイ型底面部である、耐力性折りたたみ可能層状材料から構成される第１本体と、
屋根部、および前記屋根部の境界で前記屋根部から立ち上がる、エンドレスに周囲に延びるフランジを有する、柩の蓋部である、耐力性折りたたみ可能材料から構成される第２本体と、
前記底面部と蓋部の間の、エンドレス側壁部である、耐力性折りたたみ可能材料から構成される第３本体と、
それぞれ対応して配置された前記開口の対の１つを介して前記底面部の横方向に延びる複数のストラップ部材とを備え、
前記エンドレス側壁部は、側壁部の１つの縁部が周囲に延びる周辺部に沿って前記底面部の前記周囲フランジ内にぴったりと嵌まり合い、側壁部のもう一方の縁部が周囲に延びる周辺部に沿って前記蓋部の前記周囲フランジ内にぴったりと嵌まり合い、
前記ストラップ部材が、それぞれ側壁部および蓋部を取り囲み、それによって前記底面部、前記蓋部、および前記側壁部を柩を形成する安定した構成に保持する手段として働くような長さである。
【０００５】
この耐力性層状材料は、たとえば、高荷重に耐えられる厚紙など、生分解性組成物で作成することができる。
【考案を実施するための最良の形態】
【０００６】
本考案による柩を添付の図面に関して以下に説明する。
【０００７】
図面はそれ自体でほとんど説明している。
【０００８】
例では、この柩は、それぞれ耐力性折りたたみ可能層状材料から構成された、単体の第１、第２、第３本体１１、１３、１５を備えている。
【０００９】
柩の底面部を構成する第１本体１１は、たとえば、２００ｇｍのＫｒａｆｔ  ａｎｄ  Ｔｅｓｔカードから構成される。底面部１１はトレイ型をしており、床部１７、および床部１７の境界１９で床部１７から折って立ち上げた、エンドレスに周囲に延びている２つ折りのフランジ２１を有する。底面部１１は、エンドレス・フランジ２１を構成するセグメントと床部１７との間の連結部２３、２５に沿って間隔を置いた位置に、複数の、たとえば２つの２７ａ、２７ｂ、および２９ａ、２９ｂとして、横方向に位置合せされた一対の開口を有する。
【００１０】
これも２００ｇｍのＫｒａｆｔカードから構成された単体の第２本体１３は、柩の蓋部１３を構成する。これもトレイ型をしており、屋根部３１、およびこの屋根部の境界３３で屋根部から立ち上がり、エンドレスに周囲に延びているフランジ３５を有する。
【００１１】
底面部１１と蓋部１３の間にある単体の第３本体１５は、９００ｇｍのＫｒａｆｔカード材料から構成される。この本体１５は、柩のエンドレス側壁部を構成する。側壁部１５は、リップ付縁部３７を形成する折りたたみ線を有し、縁部３７は、側壁部の主本体に向き合うようにように折りたたまれる。
【００１２】
柩の構成の最後の重要な部分は、複数の、たとえばそれぞれ３９、４１の２つのストラップ部材であり、それぞれ対応して配置された開口２７ａ、２７ｂ、および２９ａ、２９ｂの対の１つを介して底面部１１の横方向に延びている。ストラップ部材３９、４１は、その端部がループ上になっている。
【００１３】
底面部１１の平面図形の寸法は、側壁部１５の一方の端部のエンドレス側壁部１５の対応する寸法よりもやや大きく、蓋部１３の平面図形の寸法は、側壁部１５の他方の端部の側壁部１５の対応する寸法よりもやや大きい。
【００１４】
エンドレス側壁部１５は、周囲に延びている側壁部１５の周辺部４３に沿った側壁部１５の１つの縁部が底面部１１の周囲フランジ２１内にぴったりと嵌まり合い、側壁部１５のもう一方の縁部は、周囲に延びている周辺部４５に沿って蓋部１３の周囲フランジ３５内にぴったりと嵌まり合う。
【００１５】
ストラップ部材３９、４１は、それぞれ各対の開口２７ａ、２７ｂ、および２９ａ、２９ｂの１つを介して延びて、底面部の床部１７の内側表面を通り、それぞれ側壁部１１と蓋部１３を取り囲む長さがあり、底面部１１、蓋部１３、側壁部１５を柩を形成する安定した構成に保持する手段として働く。ストラップ部材のループ状の端部は、柩の輸送、および揚げ降ろしを容易にする取っ手部分として働く。
【００１６】
柩のいくつかの部分は、図４で示したようなフラット・パックに収容させることができる。主にこの理由で、底面部１１および蓋部１３の平面図形の寸法は、柩を組み立てる際には、側壁部１５はその頂部および底部周辺が、底面部１１と蓋部１３のエンドレス・フランジ２１、３５内にぴったりと嵌まって受けられ、一方、数個のフラット・パックの部品から柩を組立てるときまでは、底面部１１が蓋部の受部材として働き、ボックス型エンクロージャ内に平坦に折りたたんだ側壁部１５を収容できるように、それぞれ選択される。
【００１７】
このフラット・パックは、図４で示したように、対の開口２７ａ、２７ｂ、および２９ａ、２９ｂの１つを通るストラップ部材３９、４１を中に入れ、ボックス型エンクロージャ内に、折りたたんだ側壁部１５と共に床部１７と実質的に同一の形状およびサイズの耐力性カード、たとえば２００ｇｍのＫｒａｆｔカードから構成された床のオーバーレイ部４７を配置することで完成する。少なくともオーバーレイ部材４７の上側表面は、遺体から出る流体が後者の部分を透過するのを防ぐなどのためにワックスが被覆されている。
【００１８】
オーバーレイ部材は、上記のように遺体から出る流体による底面部１１への損傷に対する保護シートとしての働きをする他に、底面部１１をさらに強化し、底面部の床部３５を縛るストラップ部材の一部を覆う。
【００１９】
底面部１１は、図１ａで示したように、図３で示したブランクからのサブユニットに形成される。このブランクは、それぞれ内側および外側の折りたたみ線４９、５１を有しており、折りたたみ線４９、５１は、ブランクの自由端付近でブランクの周囲に延びている。内側折りたたみ線４９は、底面部の床部１７の境界を区画しており、そこからフランジ２１を立ち上がらせる折りたたみ線である。
外側折りたたみ線５１は、フランジ２１の上端を形成するもので、ブランクの縁部でカード材料を折りたたんで、折った部分を２本の折りたたみ線の間でカード材料と接触させ、それによって底面部を強化し、また図１ａで示した状態に折りたたんだ場合に側壁部１５とのぴったりと嵌まり合いをもたらす折りたたみ線である。タブ部５３は、折りたたみ線４９、５１で折りたたんだ後、タブに強力な接合接着剤を使用してブランクを組み立てた形状にする手段を構成する。
【００２０】
底面部１１と形状が同一である蓋部１３用のブランク（図示せず）は、上記に述べた理由で、やや縮小したという点で前記ブランクと異なる。さらに、蓋部のブランクには、底面部１１ではストラップ部材を受けるために底面部に設けられた対の開口がない。
【００２１】
エンドレス側壁部１５に関しては、この側壁部はカードのある長さの直線状のものから形成され、このカードは記載したように適当な位置で折りたたまれ、ブランクの端部で接着剤で接合される。
【図面の簡単な説明】
【００２２】
【図１】柩を組み立てる部品キットの底面部の絵画図である。
【図２】折りたたんだ状態の図１ｂの側壁部を示す図である。
【図３】図１ａの底面部を構成すべきブランクを示す図である。
【図４】図１ａ〜１ｃで示した３つの部分を含むフラット・パックの斜視図である。
【図５】図４のフラット・パックを使用して組み立てた柩の斜視図である。
【符号の説明】
【００２３】
１１…第１本体、１３…第２本体、１５…第３本体、１７…床部、１９…境界、２１…フランジ
【図１】
0003110201.tif 000003
【図２】
0003110201.tif 000004
【図３】
0003110201.tif 000005
【図４】
0003110201.tif 000006
【図５】
0003110201.tif 000007